(57)【要約】【課題】断熱性および防露性を高め易く、かつ、製造コストを削減し易い開口装置を提供する。【解決手段】開口装置１００における障子８０の框２０、３０を、室外側表面を構成する金属製の第１框部材２２、３２と、当該第１框部材に樹脂製のブリッジ材２６ａ、２６ｂ、３６ａ、３６ｂを介して連結されて室内側表面を構成する金属製の第２框部材２４、３６、または、第１框部材に直接連結されて室内側表面を構成する合成樹脂製の第２框部材とを用いて構成し、かつ、第１框部材にブリッジ材を係合させるために当該第１框部材に形成された係合部２２ａ、２２ｂ、３２ａ、３２ｂを、合成樹脂製の第２框部材とも係合可能にする。【選択図】    図２
2004316108.tif 000002
【特許請求の範囲】
【請求項１】
上枠と下枠と左右の縦枠とを有する枠体、ならびに、前記枠体の内側に取り付けられた少なくとも１枚の障子を備え、前記障子を変位させることで前記枠体の開口部を閉鎖または開放することができる開口装置であって、
前記少なくとも１枚の障子は上下左右に框を具備し、該框のうちの少なくとも１つは、室外側表面を構成する金属製の第１框部材と、該第１框部材に樹脂製のブリッジ材を介して連結されて室内側表面を構成する金属製の第２框部材、または、前記第１框部材に直接連結されて室内側表面を構成する合成樹脂製の第２框部材とを有し、
前記第１框部材に前記ブリッジ材を係合させるために該第１框部材に形成された係合部が、前記合成樹脂製の第２框部材とも係合可能である開口装置。
【発明の詳細な説明】
【０００１】
【発明の属する技術分野】
本発明は、枠体の内側に取り付けられた障子を変位させることで前記枠体の開口部を閉鎖または開放することができる開口装置に関する。
【０００２】
【従来の技術】
近年、建具には高い気密性、水密性、遮音性、断熱性等が求められるようになり、これらの要求を満たすために、多くの建具では建物に枠体を取り付け、この枠体に障子を取り付けた構造となっている。また、断熱性および防露性を高めるために、框内に空気層を形成した障子も開発されている。
【０００３】
框内に空気層が形成された障子の多くでは、金属製の第１框部材によって框の室外側表面が構成され、当該第１框部材の室内側表面との間に空隙を形成するようにして、第１框部材の室内側に第２框部材が係合される。第２框部材は、開口装置の使用者の好みに応じて、金属材料または合成樹脂材によって作製される。第２框部材を金属材料によって作製した場合には、第１框部材から第２框部材への熱伝導を抑制するために、第２框部材は樹脂製のブリッジ材を介して第１框部材に取り付けられる。
【０００４】
【発明が解決しようとする課題】
開口装置には引き戸、内倒し窓、上げ下げ窓、すべり出し窓、出窓、ボウウィンド、扉等、種々の形態があるので、障子の框の断面形状は、開口装置の形態に応じて種々異なる。また、開口装置の形態に拘わらず、建具の気密性、水密性を高めるために障子の框は複雑な断面形状を有している。
【０００５】
さらに、障子の框内に空気層を形成する場合には、同じ形態の開口装置に使用する障子であっても、第２框部材として金属製のものを用いるか合成樹脂製のものを用いるかに応じて、断面形状が互いに異なる第１框部材が用いられている。
【０００６】
そのため、種々の障子を製造する際には、框を作製するために種々の形状の金型を揃えることが必要があり、多額の設備投資や運用経費が必要である。また、幾つもの製造ラインを揃えることが必要であるので、この点からも多額の設備投資や運用経費が必要である。これらの理由から、開口装置では製造コストを削減しづらく、安価に提供することが困難である。
【０００７】
そこで、本発明は、断熱性および防露性を高め易く、かつ、製造コストを削減し易い開口装置を提供することを課題とする。
【０００８】
【課題を解決するための手段】
以下、本発明について説明する。以下の説明では、本発明の理解を容易にするために添付図面中の参照符号を括弧書きで付記するが、それによって本発明が図示の形態に限定されるものではない。
【０００９】
本発明の一態様では、上枠（１）と下枠（３）と左右の縦枠（５、７）とを有する枠体（１０）、ならびに、前記枠体の内側に取り付けられた少なくとも１枚の障子（８０）を備え、前記障子を変位させることで前記枠体の開口部（９）を閉鎖または開放することができる開口装置（１００、２００）であって、前記少なくとも１枚の障子は上下左右に框（２０、３０、４０、５０）を具備し、該框のうちの少なくとも１つは、室外側表面を構成する金属製の第１框部材（２２、３２、４２、５２）と、該第１框部材に樹脂製のブリッジ材（２６ａ、２６ｂ、３６ａ、３６ｂ、４６ａ、４６ｂ、５６ａ、５６ｂ）を介して連結されて室内側表面を構成する金属製の第２框部材（２４、３４、４４、５４）、または、前記第１框部材に直接連結されて室内側表面を構成する合成樹脂製の第２框部材（１２４、１３４、１４４、１５４）とを有し、前記第１框部材に前記ブリッジ材を係合させるために該第１框部材に形成された係合部（２２ａ、２２ｂ、３２ａ、３２ｂ、４２ａ、４２ｂ、５２ａ、５２ｂ）が、前記合成樹脂製の第２框部材とも係合可能である開口装置を提供して、上記の課題を解決する。
【００１０】
第１框部材と第２框部材とを用いて框を形成することにより、これら第１框部材と第２框部材との間に空気層を形成することが可能になるので、障子の断熱性および防露性を容易に高めることが可能である。
【００１１】
また、第１框部材にブリッジ材を係合させるために当該第１框部材に形成する係合部を、合成樹脂製の第２框部材とも係合可能なものにすることによって、金属製の第２框部材および合成樹脂製の第２框部材のいずれを用いる場合でも、第１框部材としては同じ形状のものを用いることが可能になる。すなわち、第１框部材を共通化することができる。その結果として、金型や製造ラインにかかる設備投資や運用経費を削減することが容易になるので、製造コストも削減し易い。
【００１２】
【発明の実施の形態】
以下、本発明に係る実施形態について、図面を参照しつつ詳述する。
【００１３】
＜第１実施形態＞
図１（Ａ）は、本発明に係る第１実施形態の開口装置１００が開放されているときに当該開口装置１００を室内側から正面視したときの概略図であり、図１（Ｂ）は、図１（Ａ）に示した開口装置１００が閉鎖されているときに当該開口装置１００を室内側から正面視したときの概略図である。
【００１４】
図示の開口装置１００は内倒し窓（以下、「内倒し窓１００」という。）であり、建物（図示せず。）の所定箇所に取り付けられる枠体１０と、枠体１０の開口部９を閉鎖または開放するために当該枠体１０に取り付けられた１枚の障子８０とを備えている。
【００１５】
枠体１０は、上枠１、下枠３、右縦枠５、および左縦枠７によって構成されており、上枠１および下枠３それぞれの長手方向端面は、右縦枠５および左縦枠７それぞれの長手方向端部に形成された平坦面に当接している。
【００１６】
障子８０は、上框２０と、下框３０と、右縦框４０と、左縦框５０と、これらの框に固定された２枚のガラスパネル６０ａ、６０ｂと、上框２０での室内側の表面に配置されたトップラッチ７０とを有している。
【００１７】
内倒し窓１００は、障子８０を室内側へ回動させることによって当該障子８０を変位させて、開口部９を開放する。また、障子８０を室外側へ回動させることによって当該障子８０を変位させて、開口部９を閉鎖する。そのために、下枠３には当該下枠３の長手方向に延在する回転軸が設けられており、下框３０の下面には前記の回転軸に係合する係合部が形成されている。障子８０は回転軸の回りに一定の角度で正転、逆転が可能であり、前記の角度は、右縦框４０と右縦枠５とを連結するアーム（図示せず。）、および、左縦框５０と左縦枠７とを連結するアーム（図示せず。）それぞれの長さによって、予め定められている。
【００１８】
上述した構成を有する内倒し窓１００は、上框２０、下框３０、右縦框４０、および左縦框５０それぞれの構造に最大の特徴を有している。以下、図２および図３を参照しつつ、各框の構造を詳述する。
【００１９】
図２は、図１（Ａ）および図１（Ｂ）に示した内倒し窓１００の垂直断面を概略的に示す。同図に示すように、内倒し窓１００における障子８０の上框２０は、室外側表面を構成する金属（例えば表面が酸化処理されたアルミニウム。以下同様。）製の第１框部材２２と、室内側表面を構成する金属製の第２框部材２４と、これら第１框部材２２と第２框部材２４とを連結する合成樹脂製の２つのブリッジ材２６ａ、２６ｂとを有している。
【００２０】
第１框部材２２の室内側の表面には、ブリッジ材２６ａ、２６ｂを係合させるための２つのかしめホール２２ａ、２２ｂが形成されており、これらのかしめホール２２ａ、２２ｂには、ブリッジ材２６ａ、２６ｂの一端が例えば点かしめによって係合している。同様に、第２框部材２４の室外側の表面には、ブリッジ材２６ａ、２６ｂを係合させるための２つのかしめホール２４ａ、２４ｂが形成されており、これらのかしめホール２４ａ、２４ｂには、ブリッジ材２６ａ、２６ｂの他端が例えば点かしめによって係合している。
【００２１】
上框２０の室内側の表面には、前述したように、トップラッチ７０が配置されている。このトップラッチ７０は、上下方向にスライド可能な把持部７２と、把持部７２のスライドに伴って当該把持部７２から突出する、または、当該把持部７２に格納されるラッチ棒７４とを有しており、上框２０の上面にネジ７６ａによって取り付けられた取り付け板７８に、ネジ７６ｂによって固定されている。上枠１（図１（Ａ）および図１（Ｂ）参照）の下面には、ラッチ棒７４と係合して障子８０の回動を抑制する第１ストッパ１ａと、取り付け板７８と係合して障子８０の回動を抑制する第２ストッパ１ｂとが設けられている。
【００２２】
上述した上框２０と同様に、下框３０は、室外側表面を構成する金属製の第１框部材３２と、室内側表面を構成する金属製の第２框部材３４と、これら第１框部材３２と第２框部材３４とを連結する合成樹脂製の２つのブリッジ材３６ａ、３６ｂとを有している。
【００２３】
第１框部材３２の室内側の表面には、ブリッジ材３６ａ、３６ｂを係合させるための２つのかしめホール３２ａ、３２ｂが形成されており、これらのかしめホール３２ａ、３２ｂには、ブリッジ材３６ａ、３６ｂの一端が例えば点かしめによって係合している。同様に、第２框部材３４の室外側の表面には、ブリッジ材３６ａ、３６ｂを係合させるための２つのかしめホール３４ａ、３４ｂが形成されており、これらのかしめホール３４ａ、３４ｂには、ブリッジ材３６ａ、３６ｂの他端が例えば点かしめによって係合している。
【００２４】
なお、図２中の参照符号３ａは、障子８０を回動させるために下枠３に形成された回転軸を示しており、参照符号３８は、第１框部材３２の下面に形成されて回転軸３ａに係合する係合部を示している。また、参照符号６０ａ、６０ｂは、図１（Ａ）および図１（Ｂ）に示したガラスパネルを示し、参照符号６２ａは上框２０側において２枚のガラスパネル６０ａ、６０ｂの間隔を規定するスペーサを示し、参照符号６２ｂは下框３０側において２枚のガラスパネル６０ａ、６０ｂの間隔を規定するスペーサを示している。参照符号６４は、２枚のガラスパネル６０ａ、６０ｂと各框２０、３０、４０、５０（図１（Ａ）および図１（Ｂ）参照）との間に配置されたグレージングチャネルを示している。
【００２５】
図示してはいないが、グレージングチャネル６４での上框２０側の上面と上框２０との間、および、グレージングチャネル６４での下框３０側の下面と下框３０との間には、セッティングブロックが配置されている。
【００２６】
図３は、図１（Ａ）および図１（Ｂ）に示した障子８０の水平断面を概略的に示す。同図に示すように、右縦框４０および左縦框５０も、上框２０および下框３０と同様の構造を有している。図３においては、右縦框４０における第１框部材、第２框部材、ブリッジ材、およびかしめホールを、上框２０についての説明で用いた参照符号の数値部分に２０を加えた参照符号で示している。同様に、左縦框５０における第１框部材、第２框部材、ブリッジ材、およびかしめホールを、上框２０についての説明で用いた参照符号の数値部分に３０を加えた参照符号で示している。
【００２７】
なお、図３中の参照符号６２ｃは、右縦框４０側において２枚のガラスパネル６０ａ、６０ｂの間隔を規定するスペーサを示し、参照符号６２ｄは左縦框５０側において２枚のガラスパネル６０ａ、６０ｂの間隔を規定するスペーサを示している。
【００２８】
障子８０における各框２０、３０、４０、５０が上述の構造を有している内倒し窓１００では、第１框部材２２、３２、４２、５２と第２框部材２４、３４、４４、５４との間に空気層が形成されるので、障子８０の断熱性および防露性が高い。
【００２９】
また、後述する第２実施形態の内倒し窓との対比から明らかなように、金属製の第２框部材２４、３４、４４、５４に代えて合成樹脂製の第２框部材を用いる場合でも、第１框部材としては同じ形状の第１框部材２２、３２、４２、５２を用いることができる。すなわち、第１框部材２２、３２、４２、５２を共通化することができる。その結果として、金型や製造ラインにかかる設備投資および運用経費を削減することが容易であり、製造コストを削減し易い。
【００３０】
＜第２実施形態＞
図４は、本発明に係る第２実施形態の開口装置２００の垂直断面を概略的に示し、図５は、図４に示した開口装置２００での障子１８０の水平断面を概略的に示す。
【００３１】
開口装置２００は、第１実施形態の内倒し窓１００と同様に内倒し窓（以下、「内倒し窓２００」という。）であり、（１）障子１８０の各框を構成する第２框部材が合成樹脂製である点、および、（２）いずれの框においても、第１框部材と第２框部材とがブリッジ材を介することなく直接連結されている点で、第１実施形態の内倒し窓１００と異なる。
【００３２】
内倒し窓２００における他の構成は第１実施形態の内倒し窓１００の構成と同じであるので、図４および図５に示した各部材および各領域のうち、各框および各第２框部材をそれぞれ除いた残りの部材および領域には図２または図３で用いた参照符号と同じ参照符号を付してその説明を省略する。内倒し窓２００における各框および各第２框部材には、対応する内倒し窓１００での框または第２框部材に付した参照符号に１００を加えた参照符号を付してある。
【００３３】
これら図４および図５に示すように、各第２框部材１２４、１３４、１４４、１５４は、第１框部材２２、３２、４２、５２に形成されているかしめホールと係合する係合部を有している。各かしめホールの形状、大きさ、配置は、第１実施形態の内倒し窓１００から変化していない。すなわち、各第１框部材２２、３２、４２、５２は、内倒し窓１００と内倒し窓２００とで共通化されている。なお、図４および図５においては、各第２框部材１２４、１３４、１４４、１５５に形成されている前記の係合部に、当該第２框部材１２４、１３４、１４４、１５５の参照符号に「ａ」または「ｂ」を付加した参照符号を付してある。
【００３４】
上述の構造を有している内倒し窓２００では、第１実施形態の内倒し窓１００と同様の理由から、障子１８０の断熱性および防露性が高い。
【００３５】
また、合成樹脂製の第２框部材１２４、１３４、１４４、１５４に代えて金属製の第２框部材２４、３４、４４、５４（図２および図３参照）を用いる場合でも、第１框部材としては同じ形状の第１框部材２２、３２、４２、５２を用いることができる。すなわち、合成樹脂製の第２框部材１２４、１３４、１４４、１５４および金属製の第２框部材２４、３４、４４、５４のいずれを用いる場合でも、第１框部材２２、３２、４２、５２を共通化することができる。その結果として、金型や製造ラインにかかる設備投資および運用経費を削減することが容易であり、製造コストを削減し易い。
【００３６】
＜第３実施形態＞
図６（Ａ）は、本発明に係る第３実施形態の開口装置４００が開放されているときに当該開口装置４００を室内側から正面視したときの概略図であり、図６（Ｂ）は、図６（Ａ）に示した開口装置４００が閉鎖されているときに当該開口装置４００を室内側から正面視したときの概略図である。
【００３７】
図示の開口装置４００はダブルハング式の上げ下げ窓（以下、「上げ下げ窓４００」という。）であり、建物（図示せず。）の所定箇所に取り付けられる枠体２１０と、枠体２１０の開口部２０９を閉鎖または開放するために当該枠体２１０に取り付けられた２枚の障子２８０、３８０とを備えている。２枚の障子２８０、３８０の両方が上下動可能に構成されている。
【００３８】
枠体２１０は、上枠２０１、下枠２０３、右縦枠２０５、および左縦枠２０７によって構成されており、上枠２０１および下枠２０３それぞれの長手方向端面は、右縦枠２０５および左縦枠２０７それぞれの長手方向端部に形成された平坦面に当接している。
【００３９】
内障子２８０は、上框２２０と、下框２３０と、右縦框２４０と、左縦框２５０と、これらの框に固定された２枚のガラスパネル２６０ａ、２６０ｂとを有しており、下框２３０には引き手２３９が設けられている。同様に、外障子３８０は、上框３２０、下框３３０、右縦框３４０、左縦框３５０、および、これらの框に固定されたガラスパネル３６０ａ、３６０ｂを有しており、上框３２０には堀込み引き手３２９が形成されている。内障子２８０と外障子３８０との召し合わせ部には、戸締まりのためのクレッセント３９０が取り付けられている。
【００４０】
枠体２１０の開口部２０９（図６（Ａ）参照）を閉鎖または開放する（以下、「障子を閉める」または「障子を開ける」という。）にあたっては、内障子２８０または外障子３８０が上下方向へスライドされる。
【００４１】
上述した構成を有する上げ下げ窓４００は、内障子２８０の上框２２０、下框２３０、右縦框２４０、および左縦框２５０それぞれの構造、ならびに、外障子３８０の上框３２０、右縦框３４０、および左縦框３５０それぞれの構造に最大の特徴を有している。以下、上框２２０、３２０および下框２３０、３３０を例にとり、各框の構造を詳述する。
【００４２】
図７は、図６（Ａ）および図６（Ｂ）に示した内障子２８０および外障子３８０それぞれの垂直断面を概略的に示す。これらの障子２８０、３８０においては、外障子３８０の下框３３０を除く各框が、第１実施形態の内倒し窓１００と同様に、金属製の第１框部材と、金属製の第２框部材と、これら第１框部材および第２框部材を連結する合成樹脂製のブリッジ材とを有している。内障子２８０および外障子３８０それぞれでの第１框部材、ブリッジ材、第２框部材の連結形態およびガラスパネルの取り付け形態は、第１実施形態の内倒し窓１００での連結形態および取り付け形態と同じである。
【００４３】
よって、内障子２８０を構成する部材および領域のうちで図２に示した構成部材または領域と機能上共通するものについては、図２で用いた参照符号の数値部分に２００を加えた参照符号を付して、その説明を省略する。同様に、外障子３８０を構成する部材および領域のうちで図２に示した構成部材または領域と機能上共通するものについては、図２で用いた参照符号の数値部分に３００を加えた参照符号を付して、その説明を省略する。
【００４４】
なお、図７中の参照符号２９５ａ、２５９ｂは、内障子２８０の上框２２０と外障子３８０の下框３３０との間の気密性を高めるために上框２２０に設けられたモヘアを示しており、参照符号３９５は、内障子２８０の上框２２０と外障子３８０の上框３２０との間の気密性を高めるために上框３２０に設けられたモヘアを示している。外障子３８０の下框３３０は、金属製の框部材のみによって構成されている。
【００４５】
図示してはいないが、内障子２８０の左右の縦框２４０、２５０および外障子３８０の左右の縦框３４０、３５０も、金属製の第１框部材と、金属製の第２框部材と、これら第１框部材および第２框部材を連結する合成樹脂製のブリッジ材とを有しており、各縦框２４０、２５０、３４０、３５０それぞれでの第１框部材、ブリッジ材、第２框部材の連結形態およびガラスパネルの取り付け形態は、第１実施形態の内倒し窓１００での連結形態および取り付け形態と同じである。
【００４６】
上述の構造を有している上げ下げ窓４００では、第１実施形態の内倒し窓１００と同様の理由から、内障子２８０および外障子３８０それぞれの断熱性および防露性が高い。
【００４７】
また、後述する第４実施形態の上げ下げ窓との対比から明らかなように、金属製の第２框部材に代えて合成樹脂製の第２框部材を用いる場合でも、第１框部材としては同じ形状の第１框部材を用いることができる。すなわち、合成樹脂製の第２框部材および金属製の第２框部材のいずれを用いる場合でも、第１框部材を共通化することができる。その結果として、金型や製造ラインにかかる設備投資および運用経費を削減することが容易であり、製造コストを削減し易い。
【００４８】
＜第４実施形態＞
図８は、本発明に係る第４実施形態の開口装置での障子の垂直断面を概略的に示す。本実施形態の開口装置は、第４実施形態の開口装置４００同様にダブルハング型の上げ下げ窓（以下、「本実施形態の上げ下げ窓」という。）であり、第４実施形態の開口装置４００と同じ形状および大きさを有しているので、全体形状の図示を省略する。
【００４９】
本実施形態の上げ下げ窓は、（１）内障子の各框を構成する第２框部材、ならびに、外障子の上框、右縦框、および左縦框を構成する各第２框部材が、それぞれ合成樹脂製である点、および、（２）合成樹脂製の第２框部材を有するいずれの框においても、第１框部材と第２框部材とがブリッジ材を介することなく直接連結されている点で、第３実施形態の上げ下げ窓４００と異なる。他の構成は第３実施形態の上げ下げ窓４００の構成と同じであるので、図８に示した各部材および各領域のうち、各障子、各框、および各第２框部材をそれぞれ除いた残りの部材および領域については、図７で用いた参照符号と同じ参照符号を付してその説明を省略する。本実施形態での各障子、各框、および各第２框部材には、対応する第３実施形態の上げ下げ窓４００での障子、框、または第２框部材に付した参照符号に２００を加えた参照符号を付してある。
【００５０】
図８に示すように、各第２框部材４２４、４３４、５２４は、第１框部材２２２、２３２、３２２に形成されているかしめホールと係合する係合部を有している。図８においては、各第２框部材４２４、４３４、５２４に形成されている前記の係合部に、当該第２框部材４２４、４３４、５２４の参照符号に「ａ」または「ｂ」を付加した参照符号を付してある。
【００５１】
各第１框部材２２２、２３２、３２２に形成されているかしめホールの形状、大きさ、配置は、第３実施形態の上げ下げ窓３００から変化していない。すなわち、各第１框部材２２２、２３２、３４２は、第３実施形態の上げ下げ窓４００と本実施形態の上げ下げ窓とで共通化されている。なお、図示してはいないが、内障子４８０の左右の縦框および外障子５８０の左右の縦框それぞれにおける第１框部材も、第３実施形態の上げ下げ窓４００での内障子２８０の左右の縦框２４０、２５０、または外障子３８０の左右の縦框３４０、３５０それぞれにおける第１框部材と共通化されている。
【００５２】
上述の構造を有している本実施形態の上げ下げ窓では、第３実施形態の上げ下げ窓４００と同様の理由から、内障子４８０および外障子５８０それぞれの断熱性および防露性が高い。
【００５３】
また、合成樹脂製の第２框部材に代えて金属製の第２框部材を用いる場合でも、第１框部材としては同じ形状の第１框部材を用いることができる。すなわち、合成樹脂製の第２框部材および金属製の第２框部材のいずれを用いる場合でも、第１框部材を共通化することができる。その結果として、金型や製造ラインにかかる設備投資および運用経費を削減することが容易であり、製造コストを削減し易い。
【００５４】
上述した第１〜第４実施形態の開口装置は内倒し窓または上げ下げ窓であるが、本発明の開口装置は、引き戸、すべり出し窓、出窓、ボウウィンド、扉等、種々の形態をとることができる。
【００５５】
第１框部材とブリッジ材または第２框部材とを係合（連結）させるにあたっては、点かしめの他に、全長かしめ等の方法を適用することができ、どの方法を適用するかは、第１框部材、ブリッジ材、および第２框部材の形状や大きさ等に応じて適宜選択可能である。点かしめは、他の方法を適用した場合に比べて係合（連結）強度が低くなり易いので、特に小型の障子に好適である。
【００５６】
以上、現時点において最も実践的であり、かつ、好ましいと思われる実施形態に関連して本発明を説明したが、本発明は、本願明細書中に開示された実施形態に限定されるものではなく、請求の範囲および明細書全体から読み取れる発明の要旨あるいは思想に反しない範囲で適宜変更可能であり、そのような変更を伴う開口装置もまた、本発明の技術的範囲に包含されるものとして理解されなければならない。
【００５７】
【発明の効果】
以上説明したように、請求項１に記載の発明によれば、室外側表面を構成する金属製の第１框部材と、当該第１框部材に樹脂製のブリッジ材を介して連結されて室内側表面を構成する金属製の第２框部材、または、第１框部材に直接連結されて室内側表面を構成する合成樹脂製の第２框部材とを用いて障子の框を構成しているので、第１框部材と第２框部材との間に空気層を容易に形成することができる。その結果として、障子の断熱性および防露性、ひいては開口装置の断熱性および防露性を高めることが容易である。
【００５８】
また、金属製の第２框部材および合成樹脂製の第２框部材のいずれを用いる場合でも、第１框部材としては同じ形状の第１框部材を用いることができるので、第１框部材を共通化することができる。その結果として、金型や製造ラインにかかる設備投資および運用経費を削減することが容易であり、製造コストを削減し易い。
【図面の簡単な説明】
【図１】図１（Ａ）は、第１実施形態の開口装置が開放されているときに当該開口装置を室内側から正面視したときの概略図であり、図１（Ｂ）は、図１（Ａ）に示した開口装置が閉鎖されているときに当該内倒し窓を室内側から正面視したときの概略図である。
【図２】図１（Ａ）および図１（Ｂ）に示した開口装置の垂直断面の概略図である。
【図３】図１（Ａ）および図１（Ｂ）に示した開口装置での障子の水平断面の概略図である。
【図４】第２実施形態の開口装置の垂直断面の概略図である。
【図５】図４に示した開口装置での障子の水平断面の概略図である。
【図６】図６（Ａ）は、第３実施形態の開口装置が開放されているときに当該開口装置を室内側から正面視したときの概略図であり、図６（Ｂ）は、図６（Ａ）に示した開口装置が閉鎖されているときに当該開口装置を室内側から正面視したときの概略図である。
【図７】図６（Ａ）および図６（Ｂ）に示した開口装置での内障子および外障子それぞれの垂直断面の概略図である。
【図８】第４実施形態の開口装置での障子の垂直断面の概略図である。
【符号の説明】
１、２０１  上枠
３、２０３  下枠
５、２０５  右縦枠
７、２０７  左縦枠
９、２０９  開口部
１０、２１０  枠体
２０、１２０、２２０、３２０、４２０、５２０  上框
２２、２２２、３２２  上框の第１框部材
２２ａ、２２ｂ、２２２ａ、２２２ｂ、３２２ａ、３２２ｂ  係合部
２４、１２４、２２４、３２４、４２４、５２４  上框の第２框部材
２６ａ、２６ｂ、２２６ａ、２２６ｂ、３２６ａ、３２６ｂ  ブリッジ材
３０、１３０、２３０、３３０、４３０、５３０  下框
３２、２３２  下框の第１框部材
３２ａ、３２ｂ、２３２ａ、２３２ｂ  係合部
３４、１３４、２３４、４３４  下框の第２框部材
３６ａ、３６ｂ、２３６ａ、２３６ｂ  ブリッジ材
４０、１４０、２４０  右縦框
４２  右縦框の第１框部材
４２ａ、４２ｂ  係合部
４４、１４４  右縦框の第２框部材
４６ａ、４６ｂ  ブリッジ材
５０、１５０、２５０  左縦框
５２  左縦框の第１框部材
５２ａ、５２ｂ  係合部
５４、１５４  左縦框の第２框部材
５６ａ、５６ｂ  ブリッジ材
８０、１８０  障子
１００、２００  開口装置（内倒し窓）
２８０、４８０  内障子
３８０、５８０  外障子
４００  開口装置（上げ下げ窓）
【図１】
2004316108.tif 000003
【図２】
2004316108.tif 000004
【図３】
2004316108.tif 000005
【図４】
2004316108.tif 000006
【図５】
2004316108.tif 000007
【図６】
2004316108.tif 000008
【図７】
2004316108.tif 000009
【図８】
2004316108.tif 000010